(57)【要約】      （修正有）【課題】特定の成分キャリアに特有である物理制御フォーマット・インジケータ・チャネル（ＰＣＦＩＣＨ）情報を、ユーザ機器（ＵＥ）へ通信することを容易にするシステムおよび方法を提供する。【解決手段】各々の成分キャリアのための各々のＰＣＦＩＣＨ情報の復号を減らすために、各々成分キャリアのためのＰＣＦＩＣＨ情報が、アンカ成分キャリアによって通信される。特に、ＰＣＦＩＣＨ情報が、アンカ成分キャリアのために復号され、追加のキャリアのＰＣＦＩＣＨ情報が、物理ダウンリンク制御チャネル（ＰＤＣＣＨ）のマルチ・キャリア（ＭＣ）許可に含まれる。【選択図】図５
2018074599.tif 000002
【特許請求の範囲】
【請求項１】
１または複数のダウンリンク成分キャリアのための制御情報を伝送することを容易にする、無線通信システムで使用される方法であって、
１または複数の成分キャリアを評価して、その間の関連する物理制御フォーマット・インジケータ・チャネル（ＰＣＦＩＣＨ）情報を識別することと、
前記１または複数の成分キャリアによって、前記１または複数の成分キャリアのおのおのに関連するＰＣＦＩＣＨ情報を通信することとを備える方法。
【請求項２】
前記１または複数の成分キャリアからアンカ成分キャリアを識別することと、
前記アンカ成分キャリアに関連するＰＣＦＩＣＨ情報と、前記１または複数の成分キャリアのおのおのに関連するＰＣＦＩＣＨ情報とを前記アンカ成分キャリアによって通信することとをさらに備える、請求項１に記載の方法。
【請求項３】
前記１または複数の成分キャリアにおいて、固定されたＰＣＦＩＣＨ情報値を利用することをさらに備える、請求項１に記載の方法。
【請求項４】
前記ＰＣＦＩＣＨ情報値は、前記アンカ成分キャリアとは異なる１または複数の成分キャリアについて固定されており、前記アンカ成分キャリアは、前記アンカ成分キャリアで送信されたＰＣＦＩＣＨを復号することによって、アンカＰＣＦＩＣＨによって伝送されるＰＣＦＩＣＨ情報を有する、請求項３に記載の方法。
【請求項５】
前記固定されたＰＣＦＩＣＨ情報値を、ブロードキャストすること、または、専用シグナリングによってＵＥへシグナルすることをさらに備える、請求項３に記載の方法。
【請求項６】
前記１または複数の成分キャリアのための物理制御フォーマット・インジケータ・チャネル（ＰＣＦＩＣＨ）情報を含むパッケージを、前記アンカ成分キャリアの物理ダウンリンク制御チャネル（ＰＤＣＣＨ）へ組み込むことをさらに備え、
前記パッケージは、前記１または複数の成分キャリアのためのＰＣＦＩＣＨ情報、または、前記１または複数の成分キャリアのための割当データを含むマルチ・キャリア許可である、請求項１に記載の方法。
【請求項７】
前記パッケージは、前記１または複数の成分キャリアのおのおののために、個別に符号化された物理ダウンリンク制御チャネル（ＰＤＣＣＨ）を含み、おのおののＰＤＣＣＨは、それぞれの成分キャリアのための物理制御フォーマット・インジケータ・チャネル（ＰＣＦＩＣＨ）情報と、それぞれの成分キャリアのための割当データとを含む、請求項４に記載の方法。
【請求項８】
前記１または複数の成分キャリアのためのＰＣＦＩＣＨ情報を含むパッケージを、個別のチャネルへ組み込むことをさらに備える、請求項１に記載の方法。
【請求項９】
前記パッケージは、ともに符号化されたＰＣＦＩＣＨ情報を含む、請求項８に記載の方法。
【請求項１０】
前記パッケージは、個別に符号化されたＰＣＦＩＣＨ情報を含む、請求項８に記載の方法。
【請求項１１】
前記アンカ成分キャリアと前記１または複数の成分キャリアのための普遍的なＰＣＦＩＣＨ情報を含めるように、前記ＰＣＦＩＣＨ情報を生成することをさらに備える、請求項１に記載の方法。
【請求項１２】
前記普遍的なＰＣＦＩＣＨ情報は、前記アンカ成分キャリアと前記１または複数の成分キャリアとについて、ダウンリンク（ＤＬ）制御領域に関して共通のサイズを含む、請求項１１に記載の方法。
【請求項１３】
ロング・ターム・イボリューション（ＬＴＥ）ユーザ機器（ＵＥ）をサポートする下位互換性成分キャリア動作モードを生成することと、ここで、前記下位互換性成分キャリア動作モードは、制御のための１または複数のシンボルを識別するために、前記ＰＣＦＩＣＨ情報を利用し、
前記ＰＣＦＩＣＨ情報を利用しない非下位互換性成分キャリア動作モードを生成することと、
ユーザ機器（ＵＥ）に基づいて、前記下位互換性成分キャリア動作モードと、前記非下位互換性成分キャリア動作モードとのうちの少なくとも１つを適用することとをさらに備える、請求項１に記載の方法。
【請求項１４】
無線通信装置であって、
１または複数のダウンリンク成分キャリアを評価して、その間の関連する物理制御フォーマット・インジケータ・チャネル（ＰＣＦＩＣＨ）情報を識別し、
前記１または複数の成分キャリアによって、前記１または複数の成分キャリアのおのおのに関連するＰＣＦＩＣＨ情報を通信する、ように構成された少なくとも１つのプロセッサと、
前記少なくとも１つのプロセッサに接続されたメモリとを備える無線通信装置。
【請求項１５】
前記１または複数の成分キャリアからアンカ成分キャリアを識別し、
前記アンカ成分キャリアと、前記１または複数の成分キャリアのおのおのと関連するＰＣＦＩＣＨ情報を、前記アンカ成分キャリアによって通信するように構成された少なくとも１つのプロセッサをさらに備える、請求項１２に記載の無線通信装置。
【請求項１６】
前記１または複数の成分キャリアのための物理制御フォーマット・インジケータ・チャネル（ＰＣＦＩＣＨ）情報を含むパッケージを、前記アンカ成分キャリアの物理ダウンリンク制御チャネル（ＰＤＣＣＨ）へ組み込むように構成された少なくとも１つのプロセッサをさらに備える、請求項１４に記載の無線通信装置。
【請求項１７】
前記パッケージは、前記１または複数の成分キャリアのためのＰＣＦＩＣＨ情報、または、前記１または複数の成分キャリアのための割当データを含むマルチ・キャリア許可である、請求項１６に記載の無線通信装置。
【請求項１８】
前記パッケージは、前記１または複数の成分キャリアのおのおののために、個別に符号化された物理ダウンリンク制御チャネル（ＰＤＣＣＨ）を含み、おのおののＰＤＣＣＨは、それぞれの成分キャリアのための物理制御フォーマット・インジケータ・チャネル（ＰＣＦＩＣＨ）情報と、それぞれの成分キャリアのための割当データとを含む、請求項１７に記載の無線通信装置。
【請求項１９】
１または複数の成分キャリアのための制御情報を伝送する無線通信装置であって、
１または複数の成分キャリアを評価して、その間の関連する物理制御フォーマット・インジケータ・チャネル（ＰＣＦＩＣＨ）情報を識別する手段と、
前記１または複数の成分キャリアによって、前記１または複数の成分キャリアのおのおのに関連するＰＣＦＩＣＨ情報を通信する手段とを備える無線通信装置。
【請求項２０】
前記１または複数の成分キャリアからアンカ成分キャリアを識別する手段と、
前記アンカ成分キャリアと、前記１または複数の成分キャリアのおのおのと関連するＰＣＦＩＣＨ情報を、前記アンカ成分キャリアによって通信する手段とをさらに備える、請求項１９に記載の無線通信装置。
【請求項２１】
前記１または複数の成分キャリアのための物理制御フォーマット・インジケータ・チャネル（ＰＣＦＩＣＨ）情報を含むパッケージを、前記アンカ成分キャリアの物理ダウンリンク制御チャネル（ＰＤＣＣＨ）へ組み込む手段をさらに備える、請求項１９に記載の無線通信装置。
【請求項２２】
前記パッケージは、前記１または複数の成分キャリアのためのＰＣＦＩＣＨ情報、または、前記１または複数の成分キャリアのための割当データを含むマルチ・キャリア許可である、請求項２１に記載の無線通信装置。
【請求項２３】
前記パッケージは、前記１または複数の成分キャリアのおのおののために、個別に符号化された物理ダウンリンク制御チャネル（ＰＤＣＣＨ）を含み、おのおののＰＤＣＣＨは、それぞれの成分キャリアのための物理制御フォーマット・インジケータ・チャネル（ＰＣＦＩＣＨ）情報と、それぞれの成分キャリアのための割当データとを含む、請求項２１に記載の無線通信装置。
【請求項２４】
前記１または複数の成分キャリアのためのＰＣＦＩＣＨ情報を含むパッケージを、個別のチャネルへ組み込む手段をさらに備える、請求項１９に記載の無線通信装置。
【請求項２５】
前記パッケージは、ともに符号化されたＰＣＦＩＣＨ情報を含む、請求項２４に記載の無線通信装置。
【請求項２６】
前記パッケージは、個別に符号化されたＰＣＦＩＣＨ情報を含む、請求項２４に記載の無線通信装置。
【請求項２７】
前記アンカ成分キャリアと前記１または複数の成分キャリアのための普遍的なＰＣＦＩＣＨ情報を含めるように、前記ＰＣＦＩＣＨ情報を生成する手段をさらに備える、請求項１９に記載の無線通信装置。
【請求項２８】
前記普遍的なＰＣＦＩＣＨ情報は、前記アンカ成分キャリアと前記１または複数の成分キャリアとについて、ダウンリンク（ＤＬ）制御領域に関して共通のサイズを含む、請求項２７に記載の無線通信装置。
【請求項２９】
ロング・ターム・イボリューション（ＬＴＥ）ユーザ機器（ＵＥ）をサポートする下位互換性成分キャリア動作モードを生成する手段と、ここで、前記下位互換性成分キャリア動作モードは、制御のための１または複数のシンボルを識別するために、前記ＰＣＦＩＣＨ情報を利用し、
前記ＰＣＦＩＣＨ情報を利用しない非下位互換性成分キャリア動作モードを生成する手段と、
ユーザ機器（ＵＥ）に基づいて、前記下位互換性成分キャリア動作モードと、前記非下位互換性成分キャリア動作モードとのうちの少なくとも１つを適用する手段とをさらに備える、請求項１９に記載の無線通信装置。
【請求項３０】
コンピュータ読取可能媒体を備えるコンピュータ・プログラム製品であって、
前記コンピュータ読取可能媒体は、
少なくとも１つのコンピュータに対して、１または複数のダウンリンク成分キャリアを評価して、その間の関連する物理制御フォーマット・インジケータ・チャネル（ＰＣＦＩＣＨ）情報を識別させるためのコードと、
少なくとも１つのコンピュータに対して、１または複数の成分キャリアによって、前記１または複数の成分キャリアのおのおのに関連するＰＣＦＩＣＨ情報を通信させるためのコードとを備えるコンピュータ・プログラム製品。
【請求項３１】
少なくとも１つのコンピュータに対して、前記１または複数の成分キャリアからアンカ成分キャリアを識別させるためのコードと、
少なくとも１つのコンピュータに対して、前記アンカ成分キャリアと、前記１または複数の成分キャリアのおのおのと関連するＰＣＦＩＣＨ情報を、前記アンカ成分キャリアによって通信させるためのコードと、を備えるコンピュータ読取可能媒体をさらに備える、請求項３０に記載のコンピュータ・プログラム製品。
【請求項３２】
少なくとも１つのコンピュータに対して、前記１または複数の成分キャリアのための物理制御フォーマット・インジケータ・チャネル（ＰＣＦＩＣＨ）情報を含むパッケージを、前記アンカ成分キャリアの物理ダウンリンク制御チャネル（ＰＤＣＣＨ）へ組み込ませるためのコードを備えるコンピュータ読取可能媒体をさらに備える、請求項３０に記載のコンピュータ・プログラム製品。
【請求項３３】
前記パッケージは、前記１または複数の成分キャリアのためのＰＣＦＩＣＨ情報、または、前記１または複数の成分キャリアのための割当データを含むマルチ・キャリア許可である、請求項３２に記載のコンピュータ・プログラム製品。
【請求項３４】
前記パッケージは、前記１または複数の成分キャリアのおのおののために、個別に符号化された物理ダウンリンク制御チャネル（ＰＤＣＣＨ）を含み、おのおののＰＤＣＣＨは、それぞれの成分キャリアのための物理制御フォーマット・インジケータ・チャネル（ＰＣＦＩＣＨ）情報と、それぞれの成分キャリアのための割当データとを含む、請求項３２に記載のコンピュータ・プログラム製品。
【請求項３５】
１または複数の成分キャリアのための制御情報を利用することを容易にする、無線通信システムにおいて使用される方法であって、
１または複数のダウンリンク成分キャリア成分キャリアでＰＣＦＩＣＨ情報を受信することと、
前記ＰＣＦＩＣＨ情報を復号して、前記１または複数の成分キャリアのための制御情報を識別することとを備える方法。
【請求項３６】
１または複数の成分キャリアは、アンカ成分キャリアであり、前記アンカ成分キャリアに加えて、少なくとも１つの成分キャリアに対応するＰＣＦＩＣＨ情報を識別することをさらに備え、前記ＰＣＦＩＣＨ情報は、前記アンカ成分キャリアによって受信される、請求項３５に記載の方法。
【請求項３７】
前記アンカ成分キャリアに関連するＰＣＦＩＣＨ情報を利用して、このアンカ成分キャリアの制御のための１または複数のシンボルを識別することと、
前記成分キャリアに対応するＰＣＦＩＣＨ情報を利用して、この成分キャリアの制御のための１または複数のシンボルを識別することとをさらに備える、請求項３６に記載の方法。
【請求項３８】
物理ダウンリンク制御チャネル（ＰＤＣＣＨ）を復号して、前記１または複数の成分キャリアのためのＰＣＦＩＣＨ情報を含むパッケージを識別することをさらに備える、請求項３５に記載の方法。
【請求項３９】
前記パッケージは、前記１または複数の成分キャリアのためのＰＣＦＩＣＨ情報、または、前記１または複数の成分キャリアのための割当データを含むマルチ・キャリア許可である、請求項３８に記載の方法。
【請求項４０】
前記パッケージは、前記１または複数の成分キャリアのおのおののために、個別に符号化された物理ダウンリンク制御チャネル（ＰＤＣＣＨ）を含み、おのおののＰＤＣＣＨは、それぞれの成分キャリアのための物理制御フォーマット・インジケータ・チャネル（ＰＣＦＩＣＨ）情報と、それぞれの成分キャリアのための割当データとを含む、請求項３８に記載の方法。
【請求項４１】
前記アンカ構成要素キャリアによって個別のチャネルから受信したパッケージを復号することをさらに備え、前記パッケージは、前記１または複数の成分キャリアのためのＰＣＦＩＣＨ情報を含む、請求項３５に記載の方法。
【請求項４２】
前記パッケージは、ともに符号化されたＰＣＦＩＣＨ情報を含む、請求項４１に記載の方法。
【請求項４３】
前記パッケージは、個別に符号化されたＰＣＦＩＣＨ情報を含む、請求項４１に記載の方法。
【請求項４４】
前記ＰＣＦＩＣＨ情報を、前記アンカ成分キャリアおよび前記少なくとも１つの成分キャリアに対応する普遍的なＰＣＦＩＣＨ情報として識別することをさらに備える、請求項３５に記載の方法。
【請求項４５】
前記普遍的なＰＣＦＩＣＨ情報は、前記アンカ成分キャリアと前記少なくとも１つの成分キャリアとについて、ダウンリンク（ＤＬ）制御領域に関して共通のサイズを含む、請求項４４に記載の方法。
【請求項４６】
前記ＰＣＦＩＣＨ情報は、アップリンクおよびダウンリンクのうちの少なくとも１つのために利用される、請求項４４に記載の方法。
【請求項４７】
ユーザ機器（ＵＥ）を、下位互換性であるか、非下位互換性であるかのうちの少なくとも一方であるとして識別することと、
ロング・ターム・イボリューション（ＬＴＥ）ユーザ機器（ＵＥ）をサポートする下位互換性成分キャリア動作モードを、前記ユーザ機器（ＵＥ）のために適用することと、ここで、前記下位互換性成分キャリア動作モードは、前記ユーザ機器が下位互換性である場合、制御のための１または複数のシンボルを識別するために、前記ＰＣＦＩＣＨ情報を利用し、
前記ユーザ機器（ＵＥ）が、非下位互換性である場合、前記ユーザ機器（ＵＥ）のために、非下位互換性成分キャリア動作モードを適用し、前記ＰＣＦＩＣＨ情報を利用しないこととをさらに備える、請求項３５に記載の方法。
【請求項４８】
無線通信装置であって、
１または複数のダウンリンク成分キャリア成分キャリアでＰＣＦＩＣＨ情報を受信し、
前記ＰＣＦＩＣＨ情報を復号して、１または複数の成分キャリアのための制御情報を識別する、ように構成された少なくとも１つのプロセッサと、
前記少なくとも１つのプロセッサに接続されたメモリとを備える無線通信装置。
【請求項４９】
１または複数の成分キャリアは、アンカ成分キャリアであり、
前記アンカ成分キャリアに加えて、少なくとも１つの成分キャリアに対応するＰＣＦＩＣＨ情報を識別するように構成された少なくとも１つのプロセッサをさらに備え、
前記ＰＣＦＩＣＨ情報は、前記アンカ成分キャリアによって受信される、請求項４８に記載の無線通信装置。
【請求項５０】
１または複数の成分キャリアのための制御情報を利用する無線通信装置であって、
１または複数のダウンリンク成分キャリア成分キャリアでＰＣＦＩＣＨ情報を受信する手段と、
前記ＰＣＦＩＣＨ情報を復号して、１または複数の成分キャリアのための制御情報を識別する手段とを備える無線通信装置。
【請求項５１】
１または複数の成分キャリアは、アンカ成分キャリアであり、前記アンカ成分キャリアに加えて、少なくとも１つの成分キャリアに対応するＰＣＦＩＣＨ情報を識別する手段をさらに備え、
前記ＰＣＦＩＣＨ情報は、前記アンカ成分キャリアによって受信される、請求項５０に記載の無線通信装置。
【請求項５２】
前記アンカ成分キャリアに関連するＰＣＦＩＣＨ情報を利用して、このアンカ成分キャリアの制御のための１または複数のシンボルを識別する手段と、
前記成分キャリアに対応するＰＣＦＩＣＨ情報を利用して、この成分キャリアの制御のための１または複数のシンボルを識別する手段とをさらに備える、請求項５１に記載の無線通信装置。
【請求項５３】
物理ダウンリンク制御チャネル（ＰＤＣＣＨ）を復号して、前記１または複数の成分キャリアのためのＰＣＦＩＣＨ情報を含むパッケージを識別する手段をさらに備える、請求項５０に記載の無線通信装置。
【請求項５４】
前記パッケージは、前記１または複数の成分キャリアのためのＰＣＦＩＣＨ情報、または、前記１または複数の成分キャリアのための割当データを含むマルチ・キャリア許可である、請求項５３に記載の無線通信装置。
【請求項５５】
前記パッケージは、前記１または複数の成分キャリアのおのおののために、個別に符号化された物理ダウンリンク制御チャネル（ＰＤＣＣＨ）を含み、おのおののＰＤＣＣＨは、それぞれの成分キャリアのための物理制御フォーマット・インジケータ・チャネル（ＰＣＦＩＣＨ）情報と、それぞれの成分キャリアのための割当データとを含む、請求項５３に記載の無線通信装置。
【請求項５６】
前記アンカ構成要素キャリアによって個別のチャネルから受信したパッケージを復号することをさらに備え、
前記パッケージは、前記１または複数の成分キャリアのためのＰＣＦＩＣＨ情報を含む、請求項５０に記載の無線通信装置。
【請求項５７】
前記ＰＣＦＩＣＨ情報を、前記アンカ成分キャリアおよび前記少なくとも１つの成分キャリアに対応する普遍的なＰＣＦＩＣＨ情報として識別する手段をさらに備える、請求項５３に記載の無線通信装置。
【請求項５８】
前記普遍的なＰＣＦＩＣＨ情報は、前記アンカ成分キャリアと前記少なくとも１つの成分キャリアとについて、ダウンリンク（ＤＬ）制御領域に関して共通のサイズを含む、請求項５７に記載の無線通信装置。
【請求項５９】
ユーザ機器（ＵＥ）を、下位互換性であるか、非下位互換性であるかのうちの少なくとも１つとして識別する手段と、
ロング・ターム・イボリューション（ＬＴＥ）ユーザ機器（ＵＥ）をサポートする下位互換性成分キャリア動作モードを、前記ユーザ機器（ＵＥ）のために生成する手段と、ここで、前記下位互換性成分キャリア動作モードは、前記ユーザ機器が下位互換性である場合、制御のための１または複数のシンボルを識別するために、前記ＰＣＦＩＣＨ情報を利用し、
前記ユーザ機器（ＵＥ）が、非下位互換性である場合、前記ユーザ機器（ＵＥ）のために、非下位互換性成分キャリア動作モードを適用し、前記ＰＣＦＩＣＨ情報を利用しない手段とをさらに備える、請求項５０に記載の無線通信装置。
【請求項６０】
コンピュータ読取可能媒体を備えるコンピュータ・プログラム製品であって、
前記コンピュータ読取可能媒体は、
少なくとも１つのコンピュータに対して、１または複数のダウンリンク成分キャリア成分キャリアでＰＣＦＩＣＨ情報を受信させるためのコードと、
少なくとも１つのコンピュータに対して、前記ＰＣＦＩＣＨ情報を復号して、１または複数の成分キャリアの制御情報を識別させるためのコードとを備える、コンピュータ・プログラム製品。
【請求項６１】
１または複数の成分キャリアは、アンカ成分キャリアであり、
少なくとも１つのコンピュータに対して、前記アンカ成分キャリアに加えて、少なくとも１つの成分キャリアに対応するＰＣＦＩＣＨ情報を識別させるためのコードを備える前記コンピュータ読取可能媒体をさらに備え、
前記ＰＣＦＩＣＨ情報は、前記アンカ成分キャリアによって受信される、請求項６０に記載のコンピュータ・プログラム製品。
【発明の詳細な説明】
【関連出願に対する相互参照】
【０００１】
この出願は、２００９年４月３０日に出願された「マルチ・キャリア動作のためのＰＣＦＩＣＨ設計」（PCFICH DESIGN FOR MULTICARRIER OPERATION）と題された米国仮特許出願６１／１７４，４３７号の利益を主張する。上記出願の全体は、参照によって本明細書に組み込まれる。
【技術分野】
【０００２】
以下の記載は一般に無線通信に関し、さらに詳しくは、マルチ・キャリアのためのキャリア間動作および制御情報の配信に関する。
【背景技術】
【０００３】
無線通信システムはさまざまなタイプの通信を提供するために広く開発され、例えば、音声および／またはデータが、そのような無線通信システムによって提供されうる。一般的な無線通信システムすなわちネットワークは、複数のユーザへ、１または複数の共有リソース（例えば、帯域幅、送信電力）に対するアクセスを提供しうる。例えば、システムは、周波数分割多重化（ＦＤＭ）、時分割多重化（ＴＤＭ）、符号分割多重化（ＣＤＭ）、直交周波数分割多重化（ＯＦＤＭ）のようなさまざまな多元接続技術を使用することができる。
【０００４】
通常、無線多元接続通信システムは、複数のモバイル・デバイスのための通信を同時にサポートすることができる。おのおののモバイル・デバイスは、順方向リンクおよび逆方向リンクによる送信を介して、１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。
【０００５】
無線通信システムはしばしば、有効範囲領域を提供する１または複数の基地局を使用する。一般的な基地局は、ブロードキャスト・サービス、マルチキャスト・サービス、および／またはユニキャスト・サービスのために複数のデータ・ストリームを送信することができる。これらデータ・ストリームは、モバイル・デバイスに対して興味のある独立した受信からなるデータのストリームでありうる。そのような基地局の有効範囲領域内のモバイル・デバイスは、合成ストリームによって搬送された１つ、複数、あるいはすべてのデータ・ストリームを受信するために使用されうる。同様に、モバイル・デバイスは、基地局あるいは別のモバイルのデバイスへデータを送信しうる。
【０００６】
無線通信システム内のエリア・トラッキングによって、ユーザ機器（例えば、モバイル・デバイス、モバイル通信装置、セルラ・デバイス、スマート・フォン等）のトラッキング・エリア・ロケーションを定義できるようになる。一般に、ネットワークは、ユーザ機器（ＵＥ）がそのようなトラッキング・エリア位置を用いて応答するＵＥに対して要求またはページしうる。これによって、ＵＥのトラッキング・エリア位置が、ネットワークへ通信され、さらに更新されるようになる。
【０００７】
マルチ・キャリア・システムはしばしば、良好なシステム・パフォーマンスを提供するキャリア間動作を適用する。厳しい干渉シナリオでは、インパクトを受けたキャリアにおける制御接続は、信頼性が低く、存在できない。さらに、制御接続が存在しないことは、これらキャリアにおけるデータ送信を妨げうる。言い換えれば、マルチ・キャリア・システムは、制御を受信したどのキャリアが適用可能であるかを区別することができない。
【発明の概要】
【０００８】
以下は、１または複数の実施形態の基本的な理解を提供するために、そのような実施形態の簡単な概略を示す。この概要は、考えられるすべての実施形態の広範囲な概観ではなく、すべての実施形態の重要要素や決定的要素を特定することも、何れかまたはすべての実施形態のスコープを線引きすることも意図されていない。その唯一の目的は、後に示されるより詳細な記載に対する前置きとして、簡略化された形式で１または複数の実施形態のいくつかの概念を表すことである。
【０００９】
関連する態様は、１または複数のダウンリンク成分キャリアのための制御情報を伝送することを容易にする方法である。この方法は、１または複数の成分キャリアを評価して、その間の関連する物理制御フォーマット・インジケータ・チャネル（ＰＣＦＩＣＨ）情報を識別することを含みうる。さらに、この方法は、１または複数の成分キャリアによって、１または複数の成分キャリアのおのおのに関連するＰＣＦＩＣＨ情報を通信することを含みうる。
【００１０】
別の態様は、無線通信装置に関する。この無線通信装置は、１または複数のダウンリンク成分キャリアを評価して、その間の関連する物理制御フォーマット・インジケータ・チャネル（ＰＣＦＩＣＨ）情報を識別し、１または複数の成分キャリアによって、１または複数の成分キャリアのおのおのに関連するＰＣＦＩＣＨ情報を通信するように構成された少なくとも１つのプロセッサを含みうる。さらに、この無線通信装置は、少なくとも１つのプロセッサに接続されたメモリを含みうる。
【００１１】
さらに別の態様は、１または複数の成分キャリアのための制御情報を伝送する無線通信装置に関する。この無線通信装置は、１または複数の成分キャリアを評価して、その間の関連する物理制御フォーマット・インジケータ・チャネル（ＰＣＦＩＣＨ）情報を識別する手段を含みうる。さらに、この無線通信装置は、１または複数の成分キャリアによって、１または複数の成分キャリアのおのおのに関連するＰＣＦＩＣＨ情報を通信する手段を含みうる。
【００１２】
また別の態様は、少なくとも１つのコンピュータに対して、１または複数のダウンリンク成分キャリアを評価して、その間の関連する物理制御フォーマット・インジケータ・チャネル（ＰＣＦＩＣＨ）情報を識別することと、１または複数の成分キャリアによって、１または複数の成分キャリアのおのおのに関連するＰＣＦＩＣＨ情報を通信することとを実行させるためのコードを格納したコンピュータ読取可能媒体を備えたコンピュータ・プログラム製品に関する。
【００１３】
他の態様によれば、１または複数の成分キャリアのための制御情報を利用することを容易にする方法に関する。この方法は、１または複数のダウンリンク成分キャリア成分キャリアでＰＣＦＩＣＨ情報を受信することを備えうる。さらに、この方法は、ＰＣＦＩＣＨ情報を復号して、１または複数の成分キャリアのための制御情報を識別することを備えうる。
【００１４】
別の態様は、無線通信装置に関する。この無線通信装置は、１または複数のダウンリンク成分キャリア成分キャリアでＰＣＦＩＣＨ情報を受信し、ＰＣＦＩＣＨ情報を復号して、１または複数の成分キャリアのための制御情報を識別するように構成された少なくとも１つのプロセッサを含みうる。さらに、この無線通信装置は、少なくとも１つのプロセッサに接続されたメモリを含みうる。
【００１５】
別の態様は、１または複数の成分キャリアのための制御情報を利用する無線通信装置に関する。無線通信装置は、１または複数のダウンリンク成分キャリア成分キャリアでＰＣＦＩＣＨ情報を受信する手段を備えうる。さらに、無線通信装置は、ＰＣＦＩＣＨ情報を復号して、１または複数の成分キャリアのための制御情報を識別する手段を備えうる。
【００１６】
また別の態様は、少なくとも１つのコンピュータに対して、１または複数のダウンリンク成分キャリア成分キャリアでＰＣＦＩＣＨ情報を受信することと、ＰＣＦＩＣＨ情報を復号して、１または複数の成分キャリアのための制御情報を識別することと、を実行させるためのコードを格納したコンピュータ読取可能媒体を備えたコンピュータ・プログラム製品に関する。
【００１７】
前述した目的および関連する目的を達成するために、１または複数の実施形態は、以下に十分説明され、特に特許請求の範囲で指摘される特徴を備える。次の記載および添付図面は、１または複数の実施形態のある実例となる態様を詳細に記載する。しかしながら、これらの態様は、さまざまな実施形態の原理が適用されるさまざまな方法のうちの僅かしか示しておらず、記載された実施形態は、そのようなすべての局面およびそれらの均等物を示すことが意図されている。
【図面の簡単な説明】
【００１８】
【図１】図１は、本明細書に記載されたさまざまな態様にしたがう無線通信システムの例示である。
【図２】図２は、無線通信環境において適用される通信装置の例示である。
【図３】図３は、制御領域のサイズを定義するために、複数の成分キャリアのためのＰＣＦＩＣＨ情報を通信することを容易にする無線通信システムの例の図示である。
【図４】図４は、複数の成分キャリアのための制御情報を、別のキャリアによって伝送することを容易にするシステムの例の図示である。
【図５】図５は、１または複数の成分キャリアのための制御情報を伝送することを容易にする方法の例示である。
【図６】図６は、１または複数の成分キャリアのための制御情報を利用することを容易にする方法の例示である。
【図７】図７は、無線通信システムにおいて、複数の成分キャリアのための制御情報を識別することを容易にするモバイル・デバイスの例示である。
【図８】図８は、無線通信環境において、複数の成分キャリアのためのＰＣＦＩＣＨ情報をパッケージすることを容易にするシステムの例示である。
【図９】図９は、本明細書に記載されたさまざまなシステムおよび方法と共に適用されうる無線ネットワーク環境の例示である。
【図１０】図１０は、１または複数の成分キャリアのための制御情報を伝送することを容易にするシステムの例示である。
【図１１】図１１は、無線通信環境における１または複数の成分キャリアのための制御情報を利用するするシステムの例示である。
【発明を実施するための形態】
【００１９】
さまざまな実施形態が、全体を通じて同一要素を示すために同一の参照番号が使用される図面を参照して説明される。次の記載では、説明の目的のために、多数の特定の詳細が、１または複数の実施形態についての完全な理解を提供するために記載される。しかしながら、そのような実施形態は、これら具体的な詳細なしで実現されうることが明白でありうる。他の事例では、１または複数の実施形態の記載を容易にするために、周知の構成およびデバイスがブロック図形式で示される。
【００２０】
本願で使用されるような用語「モジュール」、「キャリア」、「システム」等は、ハードウェア、ファームウェア、ハードウェアとソフトウェアとの組み合わせ、ソフトウェア、または実行中のソフトウェアの何れかであるコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
【００２１】
本明細書に記述された技術は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、およびその他のシステムのようなさまざまな無線通信システムに使用することができる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ（登録商標））およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰ（登録商標）ロング・ターム・イボリューション（ＬＴＥ（登録商標））は、Ｅ−ＵＴＲＡを使用するＵＭＴＳの最新リリースであり、ダウンリンクではＯＦＤＭＡを用い、アップリンクではＳＣ−ＦＤＭＡを用いる。
【００２２】
シングル・キャリア周波数分割多元接続（ＳＣ−ＦＤＭＡ）は、シングル・キャリア変調および周波数ドメイン等値化を用いる。ＳＣ−ＦＤＭＡは、ＯＦＤＭＡシステムと類似の性能を有し、本質的に全体的に同等の複雑さを有する。ＳＣ−ＦＤＭＡ信号は、その固有のシングル・キャリア構造により、より低いピーク対平均電力比（ＰＡＰＲ）を有する。ＳＣ−ＦＤＭＡは、例えば、より低いＰＡＰＲが送信電力効率の観点からアクセス端末に非常に役立つアップリンク通信で使用されうる。したがって、ＳＣ−ＦＤＭＡは、３ＧＰＰロング・ターム・イボリューション（ＬＴＥ）すなわちイボルブドＵＴＲＡにおけるアップリンク多元接続性スキームとして実施されうる。
【００２３】
さらに、本明細書では、さまざまな実施形態が、モバイル・デバイスに関連して記載される。モバイル・デバイスはまた、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、あるいはユーザ機器（ＵＥ）とも称されうる。モバイル・デバイスは、セルラ電話、コードレス電話、セッション初期化プロトコル（ＳＩＰ）電話、無線ローカル・ループ（ＷＬＬ）局、携帯情報端末（ＰＤＡ）、無線接続機能を有する携帯型デバイス、コンピュータ・デバイス、あるいは無線モデムに接続されたその他の処理デバイスでありうる。さらに、本明細書では、さまざまな実施形態が、基地局に関連して記載される。基地局はモバイル・デバイスと通信するために利用することができ、アクセス・ポイント、ノードＢあるいはその他の用語で称されうる。
【００２４】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２５】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２本のアンテナしか例示されていないが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００２６】
基地局１０２は、例えばモバイル・デバイス１１６およびモバイル・デバイス１２２のような１または複数のモバイル・デバイスと通信しうる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６、１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってアクセス端末１１６へ情報を送信し、逆方向リンク１２０によってアクセス端末１１６から情報を受信する。さらに、モバイル・デバイス１２２はアンテナ１０４およびアンテナ１０６と通信している。ここで、アンテナ１０４およびアンテナ１０６は、順方向リンク１２４でアクセス端末１２２へ情報を送信し、逆方向リンク１２６でアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２７】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。また、基地局１０２が、関連付けられた有効通信範囲にランダムに散在したモバイル・デバイス１１６、１２２に送信するためにビームフォーミングを利用している間、近隣セル内のモバイル・デバイスは、すべてのモバイル・デバイスに対して単一のアンテナによって送信している基地局に比べて、少ない干渉しか被らない。
【００２８】
基地局１０２（および／または基地局１０２のおのおののセクタ）は、１または複数の多元接続技術（例えば、ＣＤＭＡ、ＴＤＭＡ、ＦＤＭＡ、ＯＦＤＭＡ）を使用しうる。例えば、基地局１０２は、対応する帯域幅においてモバイル・デバイス（例えば、モバイル・デバイス１１６、１２２）と通信するために特定の技術を利用しうる。さらに、基地局１０２によって、１より多くの技術が適用される場合、おのおのの技術は、それぞれの帯域幅に関連付けられうる。本明細書に記載された技術は下記を含みうる。グローバル・システム・フォー・モバイル（ＧＳＭ（登録商標））、汎用パケット・ラジオ・サービス（ＧＰＲＳ）、エンハンスト・データ・レート・フォーＧＳＭイボリューション（ＥＤＧＥ）、ユニバーサル・モバイル・テレコミュニケーション・システム（ＵＭＴＳ）、広帯域符号分割多元接続（Ｗ−ＣＤＭＡ）、ｃｄｍａＯｎｅ（ＩＳ−９５）、ＣＤＭＡ２０００、イボリューション−データ・オプティマイズド（ＥＶ−ＤＯ）、ウルトラ・モバイル・ブロードバンド（ＵＭＢ）、ワールドワイド・インタオペラビリティ・フォー・マイクロウェーブ・アクセス（ＷｉＭＡＸ）、ＭｅｄｉａＦＬＯ、デジタル・マルチメディア・ブロードキャスティング（ＤＭＢ）、デジタル・ビデオ・ブロードキャスティング−ハンドヘルド（ＤＶＢ−Ｈ）等。前述した技術のリストは、例として与えられたものであって、権利主張される主題はそれに限定されないことが認識されるべきである。実質的に任意の無線通信技術が、特許請求の範囲内にあることが意図されること
基地局１０２は、第１の技術を用いて第１の帯域幅を利用しうる。さらに、基地局１０２は、第１の技術に対応するパイロットを、第２の帯域幅で送信しうる。例示によれば、第２の帯域幅は、基地局１０２、および／または、通信のために任意の第２の技術を利用する別の基地局（図示せず）によって導入されうる。さらに、パイロットは、第１の技術の存在を（例えば、第２の技術によって通信しているモバイル・デバイスへ）示しうる。例えば、パイロットは、第１の技術の存在に関する情報を伝送するビットを使用しうる。さらに、例えば、第１の技術を利用するセクタのセクタＩＤ、第１の周波数帯域幅を示すキャリア・インデクス等のような情報がパイロットに含まれうる。
【００２９】
別の例によれば、パイロットは、ビーコン（および／またはビーコンのシーケンス）でありうる。ビーコンは、ＯＦＤＭシンボルでありうる。ここでは、電力の大部分が、１つのサブキャリアまたは少数のサブキャリア（例えば、少ない数のサブキャリア）で送信される。したがって、ビーコンは、モバイル・デバイスによって観察されうる強いピークをもたらすが、同時に、帯域幅の狭い部分において、データと干渉する（例えば、帯域幅の残りの部分は、ビーコンによって影響されない）。この例によれば、第１のセクタは、第１の帯域幅で、ＣＤＭＡによって通信し、第２のセクタは、第２の帯域幅で、ＯＦＤＭによって通信しうる。したがって、第１のセクタは、第２の帯域幅においてＯＦＤＭビーコン（またはＯＦＤＭビーコンのシーケンス）を（例えば、第２の帯域幅においてＯＦＤＭを利用して動作しているモバイル・デバイスへ）送信することによって、第１の帯域幅におけるＣＤＭＡの利用可能性を示しうる。
【００３０】
主題とするイノベーションは、おのおのの特有の成分キャリアの制御領域のサイズ（例えば、アンカ成分キャリアの制御領域のサイズ、および、追加の成分キャリアの制御領域のサイズ）を識別するために、アンカ成分キャリアおよび追加の成分キャリアの物理制御フォーマット・インジケータ・チャネル（ＰＣＦＩＣＨ）を通信しうる。アンカ・キャリアは、ユーザ機器（ＵＥ）のための同期、アクセス、アイドル状態キャンピング、および信頼できる制御有効通信範囲を可能にするキャリアでありうる。セルのアンカ・キャリアで送信されたマルチ・キャリアの制御（キャリア間制御動作として知られる）は、制御が高い信頼性で送信されない他のキャリアのための制御を提供しうる。特に、ＵＥが、ＰＣＦＩＣＨ情報を復号して、制御のための多くのシンボルを識別できるようにするために、アンカ・キャリアが利用され、ＰＣＦＩＣＨ情報が通信される。さらに、アンカ成分キャリアは、追加の成分キャリアのためのＰＣＦＩＣＨ情報を含みうる。これは、おのおのの追加の成分キャリアのためのＰＣＦＩＣＨ情報を復号することなく識別されうる。一例では、おのおのの成分キャリアのＰＣＦＩＣＨ情報は、物理ダウンリンク制御チャネル（ＰＤＣＣＨ）で送信される許可に含まれうる。この許可は、１つのキャリアのためのデータ割当を伝送しうるシングル・キャリアでありうるか、または、設定されたすべてのキャリアのためのデータ割当を伝送するマルチ・キャリア（ＭＣ）許可でありうる。別の例において、ＰＣＦＩＣＨ情報は、パッケージされ、アンカ成分キャリアによって、個別のチャネルで通信されうる。一般に、主題とするイノベーションは、アンカ成分キャリアのためのＰＣＦＩＣＨ情報と、追加のキャリア（単数または複数）のためのそれぞれのＰＣＦＩＣＨ情報とを通信するために、アンカ成分キャリアを利用しうる。
【００３１】
図２に移って、無線通信環境内で適用される通信装置２００が例示される。通信装置２００は、基地局またはその一部であるか、モバイル・デバイスまたはその一部であるか、無線通信環境で送信されたデータを受信する実質的に任意の通信装置でありうる。通信システムでは、通信装置２００は、おのおのの成分キャリアの制御のシンボル・サイズの復号および識別を最適化するために、以下に示す構成要素を適用し、複数の成分キャリアのためのＰＣＦＩＣＨ情報をパッケージしうる。
【００３２】
通信装置２００は、アンカ・キャリアを識別するために、１または複数の成分キャリアを評価しうる評価モジュール２０２を含みうる。評価モジュール２０２はさらに、（例えば、１または複数の成分キャリア、アンカ・キャリア等のような）おのおののキャリアに関連付けられた物理制御フォーマット・インジケータ・チャネル（ＰＣＦＩＣＨ）情報を識別するために、１または複数の成分キャリア、および／または、アンカ・キャリア（例えば、アンカ成分キャリア）を評価しうることが認識されるべきである。通信装置２００はさらに、おのおののキャリアのＰＣＦＩＣＨ情報を、アンカ・キャリアへパッケージしうるパッケージ・モジュール２０４を含みうる。
【００３３】
例えば、ＰＣＦＩＣＨ情報は、物理ダウンリンク制御チャネル（ＰＤＣＣＨ）のマルチ・キャリア（ＭＣ）許可のうちの少なくとも１つへパッケージされうる。別の例において、パッケージ・モジュール２０４は、ＰＣＦＩＣＨ情報が、１または複数の成分キャリアおよび／またはアンカ・キャリアのために普遍的になるように、ＰＣＦＩＣＨ情報のパッケージを生成しうる。また別の例では、パッケージ・モジュール２０４は、おのおののキャリアのＰＣＦＩＣＨ情報の復号を省くために、ＰＣＦＩＣＨ情報のパッケージを生成し、個別のチャネルによって通信しうる。
【００３４】
さらに、図示していないが、通信装置２００は、１または複数の成分キャリアを評価して、その間の関連する物理制御フォーマット・インジケータ・チャネル（ＰＣＦＩＣＨ）情報を識別することと、１または複数の成分キャリアからアンカ成分キャリアを識別することと、アンカ成分キャリアに関連するＰＣＦＩＣＨ情報と、１または複数の成分キャリアのおのおのに関連するＰＣＦＩＣＨ情報とをアンカ成分キャリアによって通信すること等に関連する命令群を保持するメモリを含みうることが認識されるべきである。さらに、通信装置２００は、（例えば、メモリ内に保持された命令群、別のソースから取得された命令群のような）命令群を実行することに関連して利用されるプロセッサを含みうる。
【００３５】
さらに、図示していないが、通信装置２００は、アンカ成分キャリアによってＰＣＦＩＣＨ情報を受信することと、ＰＣＦＩＣＨ情報を復号して、アンカ成分キャリアのための制御情報を識別することと、アンカ成分キャリアに加えて、少なくとも１つの成分キャリアに対応するＰＣＦＩＣＨ情報を識別することと等に関連する命令群を保持するメモリを含みうること認識されるべきである。ここで、ＰＣＦＩＣＨ情報は、アンカ成分キャリアによって受信される、さらに、通信装置２００は、（例えば、メモリ内に保持された命令群、別のソースから取得された命令群のような）命令群を実行することに関連して利用されるプロセッサを含みうる。
【００３６】
図３に示すように、制御領域のサイズを定義するために、複数の成分キャリアのＰＣＦＩＣＨ情報を通信を提供する無線通信システム３００が例示される。このシステム３００は、ユーザ機器（ＵＥ）３０４（および／または、（図示しない）任意の数の他のユーザ機器）と通信する基地局３０２を含む。基地局３０２は、順方向リンク・チャネルでユーザ機器３０４に情報を送信しうる。さらに、基地局３０２は、逆方向リンク・チャネルでユーザ機器３０４から情報を受信しうる。さらに、システム３００は、ＭＩＭＯシステムでありうる。さらに、システム３００は、ＯＦＤＭＡ無線ネットワーク、３ＧＰＰ  ＬＴＥ無線ネットワーク等において動作しうる。さらに、基地局３０２内において図示および以下に説明される構成要素および機能は、一例において、逆に、ユーザ機器３０４内にも存在することができるが、そして、図示する構成は、説明を簡単にするために、これら構成要素を除外している。
【００３７】
基地局３０２は、ＰＣＦＩＣＨ情報（例えば、制御領域のサイズ、制御領域のシンボル等）を識別するために、キャリアを評価しうる評価モジュール３０６を含む。さらに、評価モジュール３０６は、キャリアのセットから、アンカ・キャリアを識別しうる。基地局３０２はさらに、おのおののキャリアのＰＣＦＩＣＨ情報を、アンカ・キャリアにパッケージしうるパッケージ・モジュール３０８を含みうる。パッケージ・モジュール３０８は、おのおののキャリアのＰＣＦＩＣＨ情報を、物理ダウンリンク制御チャネル（ＰＤＣＣＨ）のマルチ・キャリア（ＭＣ）許可のうちの少なくとも１つへパッケージしうる。パッケージ・モジュール３０８は、ＰＣＦＩＣＨ情報が、１または複数の成分キャリアおよび／またはアンカ・キャリアのために普遍的になるように、ＰＣＦＩＣＨ情報のパッケージを生成しうる。パッケージ・モジュール３０８は、おのおののキャリアのＰＣＦＩＣＨ情報の復号を省くために、ＰＣＦＩＣＨ情報のパッケージを生成し、個別のチャネルによって通信しうる。基地局３０２はさらに、ＰＣＦＩＣＨ情報を、識別されたアンカ・キャリアへ通信しうるか、および／または、識別されたアンカ・キャリアを用いて通信しうる、送信モジュール３１０を含みうる。
【００３８】
ユーザ機器（ＵＥ）３０４は、アンカ・キャリアから情報を受信しうる受信モジュール３１２を含みうる。この情報は、アンカ・キャリアおよび少なくとも１つの追加のキャリアに関連するＰＣＦＩＣＨ情報でありうる。言い換えれば、おのおののキャリアに対応するＰＣＦＩＣＨ情報は、受信モジュール３１２を用いて、アンカ・キャリアを介して受信されうる。ユーザ機器３０４はさらに、受信したＰＣＦＩＣＨ情報を検査し、どのＰＣＦＩＣＨ情報がどのキャリアに対応しているかを確認しうるアンパック・モジュール３１４を含みうる。アンパック・モジュール３１４は、アンカ・キャリアのＰＣＦＩＣＨ情報を復号して、制御情報を識別し、さらに、おのおののキャリアのためのおのおののＰＣＦＩＣＨ情報を復号することなく、他のキャリアのためのＰＣＦＩＣＨ情報を識別しうる。例えば、アンパック・モジュール３１４は、個別のチャネルにおけるパッケージから、または、（例えば、ＭＣ許可、個別に符号化されたＰＣＦＩＣＨ情報等である）物理ダウンリンク制御チャネル（ＰＤＣＣＨ）から、ＰＣＦＩＣＨ情報を識別しうる。それに加えて、アンパック・モジュール３１４は、ユーザ機器３０４によって利用されるアンカ・キャリアおよび追加のキャリアに普遍的であるＰＣＦＩＣＨ情報を識別しうる。
【００３９】
ＬＴＥ下位互換性成分キャリアでは、おのおののキャリアで送信された個別の物理制御フォーマット・インジケータ・チャネル（ＰＣＦＩＣＨ）が存在する。ＬＴＥ非下位互換性成分キャリアでは、ＰＣＦＩＣＨ送信が存在しないことがありうる。おのおのの成分キャリアにおけるＰＣＦＩＣＨの復号を回避するために、（ＭＣ許可が送信されたキャリアとは異なる）他の設定されたキャリアにおけるＰＣＦＩＣＨ情報が、ＭＣ許可に組み込まれうる。時間変動する下位互換性／非下位互換性のキャリア動作の場合、ＰＣＦＩＣＨは、それぞれオン／オフとなりうる。
【００４０】
マルチ・キャリアのためのＰＣＦＩＣＨは、共通のＰＣＦＩＣＨまたは独立したＰＣＦＩＣＨとして設計されうる。共通のＰＣＦＩＣＨによって、すべての成分キャリアが、同じサイズのＤＬ制御領域（ＰＤＣＣＨ）を有するようになる。さらに、すべてのキャリアについて、同じＰＣＦＩＣＨ値が強制されうる（例えば、実質的に同じＰＣＦＩＣ信号が、すべての成分キャリアから送信されうる）。独立したＰＣＦＩＣＨは、キャリア毎に独立したサイズのＰＤＣＣＨを可能とし、制御領域は、成分キャリア毎に個々に調節されうる。
【００４１】
共通のＰＣＦＩＣＨは、ＬＴＥ−Ａ  ＵＥのための広範な帯域幅動作を簡略化しうる。さらに、共通のＰＣＦＩＣＨは、リリース８  ＵＥのためのスケジューリング制約を課する。共通のＰＣＦＩＣＨは、非効率的なリソース利用をもたらしうる。それに加えて、共通のＰＣＦＩＣＨは、ＬＴＥ−Ａのみのキャリアのための賢明な解決策でありうる。ここで、制御チャネルは、いくつかのキャリアにわたって分配される。制御受信が害される非アンカ・キャリアでは、対応するＰＣＦＩＣＨ（単数または複数）を明示的に復号することなく、対応するキャリアにおいて固定されたＰＣＦＩＣＨ値が仮定されうる。この値は、可能な最大値として、３シンボルに設定されうる。ＰＤＳＣＨ復号のための固定されたＰＣＦＩＣＨ値は、ブロードキャストされ、専用シグナリングによってシグナルされるか、あるいは、１つの値でハード符号化されうる。
【００４２】
独立したＰＣＦＩＣＨは、特に、成分キャリア間のトラフィック負荷が異なる場合に、ＰＤＣＣＨオーバヘッドを最適化する、好適なアプローチでありうる。独立したＰＣＦＩＣＨは、（パフォーマンス利点を達成するために、ＵＥを、比較的弱いＤＬ受信信号（ＲＳＲＰ）を有するセルに関連付ける）範囲拡張のために必要とされうる。
【００４３】
おのおのの成分キャリアにおけるＰＣＦＩＣＨの復号を回避するために、他の設定されたキャリアにおけるＰＣＦＩＣＨ情報が、ＭＣ許可に組み込まれうる。ここでは、設定されたキャリアは、ＭＣ許可を受信するキャリアとは異なる（例えば、ＭＣ許可が送信されるキャリアとは異なる）。非下位互換性キャリアは、ＴＤＭ制御を有していない場合がある。この場合、ＰＣＦＩＣＨは、設定されない（例えば、データＲＢは、第１のＯＦＤＭシンボルにおいて始まる）。これは、キャリア間動作を仮定しうる。シングル・キャリア許可は、１つのキャリア（例えば、アンカ成分キャリア）で送信され、他の設定されたキャリアのためのデータ割当を伝送しうる。マルチ・キャリア許可は、１つのキャリア（例えば、アンカ成分キャリア）で送信され、設定されたすべてのキャリアのためのデータ割当を伝送しうる。言い換えれば、マルチ・キャリアのためのＰＣＦＩＣＨ情報が、シングル・キャリアで送信されうる。これは、キャリア間動作を仮定しうる。例えば、これは、マルチ・キャリアＰＣＦＩＣＨ（設定されたすべてのキャリアのための情報を含む単一のＰＣＦＩＣＨ）、または、複数のシングル・キャリアＰＣＦＩＣＨの形態をとりうる。ここで、１つのＰＣＦＩＣＨおよびその内部は、設定されたすべてのキャリアのためのＰＣＦＩＣＨでありうる。
【００４４】
シングル・キャリアによって、ＰＣＦＩＣＨによって伝送される制御情報およびその他の情報の送信が可能となりうる。ここでは、このような送信は、適用されるべき進化したＩＣＩＣ技術を可能にしうる。しかし、これは、劣悪な干渉条件に至りうるヘテロジニアスなネットワーク構成に関する可能なシナリオでありうる。例えば、リリース８では、制御チャネルに関しＩＣＩＣはプロビジョンされない。それに加えて、準固定の／適応性のあるＩＣＩＣが、データ上の干渉を管理するために使用されうる。さらに、制御チャネルのために、比較的固定されたＩＣＩＣが必要とされる。干渉「保護された」（アンカ）キャリアでのマルチ・キャリア動作によって、制御が、このキャリアで高い信頼性で送信されるようになり、他のキャリアの制御を提供する。ここでは、制御の物理送信が、高信頼性／可能ではない場合がありうる。これは、範囲拡張を可能にし、ピコ・セルの範囲を拡張できるように、マクロ・セルが、１つのキャリアで、低電力でＰＤＣＣＨを送信する。さらに、非下位互換性キャリアは、設定されたＰＣＦＩＣＨが存在しないＴＤＭ制御を持たない場合がありうる。ここでは、データＲＢは、常に、第１のＯＦＤＭシンボルで始まる。
【００４５】
時間変動する下位互換性／非下位互換性のキャリア動作の場合、ＰＣＦＩＣＨは、それぞれオン／オフとなりうる。下位互換性のあるキャリア動作モードの場合、ＰＣＦＩＣＨが存在し、どれだけ多くのＯＦＤＭシンボルがＰＤＣＣＨによって取得されるかを明示する目的を提供する。キャリアが非下位互換性モードで動作している場合、共通の制御チャネルおよびＣＲＳを備えるブランク・サブフレームが適用され、ＰＣＦＩＣＨは存在しない。ブランク・サブフレームによって、ＬＴＥユーザ機器（ＵＥ）は、いずれのデータも専用制御も受信することなく、存在できる（例えば、測定値、キャンピング等）ようになりうる。存在しないＰＣＦＩＣＨの場合、ＬＴＥ−Ａ  ＵＥは復号を試みず、ＬＴＥ  ＵＥは復号を行い、データＲＢは、（例えば、ＬＴＥ−ＡのみのＵＥに向けられた）第１のＯＦＤＭシンボルから始まる。
【００４６】
さらに、図示していないが、基地局３０２は、１または複数の成分キャリアを評価して、その間の関連する物理制御フォーマット・インジケータ・チャネル（ＰＣＦＩＣＨ）情報を識別することと、１または複数の成分キャリアからアンカ成分キャリアを識別することと、アンカ成分キャリアに関連するＰＣＦＩＣＨ情報と、１または複数の成分キャリアのおのおのに関連するＰＣＦＩＣＨ情報とをアンカ成分キャリアによって通信すること等に関連する命令群を保持するメモリを含みうることが認識されるべきである。さらに、通信装置２００は、（例えば、メモリ内に保持された命令群、別のソースから取得された命令群のような）命令群を実行することに関連して利用されるプロセッサを含みうる。
【００４７】
さらに、図示していないが、基地局３０２は、アンカ成分キャリアによってＰＣＦＩＣＨ情報を受信することと、ＰＣＦＩＣＨ情報を復号して、アンカ成分キャリアのための制御情報を識別することと、アンカ成分キャリアに加えて、少なくとも１つの成分キャリアに対応するＰＣＦＩＣＨ情報を識別すること等に関連する命令群を保持するメモリを含みうることが認識されるべきである。ここでは、ＰＣＦＩＣＨ情報は、アンカ成分キャリアによって受信される。さらに、通信装置２００は、（例えば、メモリ内に保持された命令群、別のソースから取得された命令群のような）命令群を実行することに関連して利用されるプロセッサを含みうる。
【００４８】
図４に示すように、無線通信システム４００の例は、複数の成分キャリアのための制御情報を、アンカ・キャリアによって伝送しうる。システム４００は、例えば、キャリア１
４０６、キャリア２  ４０８、およびキャリアＮ  ４１０のようなマルチ・キャリア（例えば、キャリアは、多くのリソース、リソースの集合、多くの帯域幅等）を導入しうるユーザ機器４０４を含みうる。例えばキャリア１  ４０６乃至キャリアＮ  ４１０のような任意の適切な数のキャリアが存在しうることが認識されるべきである。ここで、Ｎは、正の整数である。マルチ・キャリア・オペレーションでは、複数のキャリアに関連する情報を通信するために、アンカ・キャリア４０２が適用されうる。システム４００では、キャリア１  ４０６は、少なくとも複数のキャリアに関連する情報を通信しうるアンカ・キャリア４０２である。
【００４９】
主題とするイノベーションの態様によれば、ユーザ機器４０４は、おのおののキャリアのＰＣＦＩＣＨ情報を識別しうる。ここで、ＰＣＦＩＣＨ情報は、おのおののキャリアのために、アンカ・キャリア４０２によって通信される。したがって、ユーザ機器４０４は、第１のキャリアに対する制御情報１  ４１２と、第２のキャリアに対する制御情報２  ４１４等を識別しうる。ユーザ機器４０４は、例えば、制御情報１乃至制御情報Ｎのように、任意の適切な数のキャリアのためのアンカ・キャリア４０２から、ＰＣＦＩＣＨ情報を識別しうることが認識されるべきである。ここで、Ｎは、正の整数である。
【００５０】
図５乃至図６を参照して、ＰＣＦＩＣＨ情報の通信の提供に関連する方法が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示されたすべての動作が必要とされる訳ではない。
【００５１】
図５に移って、１または複数の成分キャリアのための制御情報を伝送することを容易にする方法５００が例示されている。参照番号５０２では、１または複数の成分キャリアが評価され、その間の関連する物理制御フォーマット・インジケータ・チャネル（ＰＣＦＩＣＨ）情報が識別されうる。参照番号５０４では、１または複数の成分キャリアから、アンカ成分キャリアが識別されうる。参照番号５０６では、アンカ成分キャリアに関連するＰＣＦＩＣＨ情報と、１または複数の成分キャリアのおのおのに関連するＰＣＦＩＣＨ情報とが、アンカ成分キャリアによって通信されうる。
【００５２】
１または複数の成分キャリアのための制御情報を利用することを容易にする方法６００である図６を参照されたい。参照番号６０２では、ＰＣＦＩＣＨ情報が、アンカ成分キャリアを介して受信されうる。参照番号６０４では、ＰＣＦＩＣＨ情報が復号され、アンカ成分キャリアのための制御情報が識別されうる。参照番号６０６では、アンカ成分キャリアに加えて、少なくとも１つの成分キャリアに対応するＰＣＦＩＣＨ情報が識別されうる。ここで、ＰＣＦＩＣＨ情報は、アンカ成分キャリアによって受信される。
【００５３】
図７は、無線通信システムにおいて、複数のキャリアのための制御情報を識別することを容易にするモバイル・デバイス７００の例示である。モバイル・デバイス７００は、例えば（図示しない）受信アンテナから信号を受信し、受信した信号について一般的な動作（例えば、フィルタ、増幅、ダウンコンバート等）を実行し、これら調整された信号をデジタル化してサンプルを得る受信機７０２を備えうる。受信機７０２は、受信したシンボルを復調し、それらをチャネル推定のためにプロセッサ７０６へ提供する復調器７０４を備えうる。プロセッサ７０６は、受信機７０２によって受信された情報を分析すること、および／または、送信機７１６による送信のための情報を生成することに特化されたプロセッサ、モバイル・デバイス７００の１または複数の構成要素を制御するプロセッサ、および／または、受信機７０２によって受信された情報を分析することと、送信機７１６による送信のための情報を生成することと、モバイル・デバイス７００のうちの１または複数の構成要素を制御することとのすべて行うプロセッサでありうる。
【００５４】
モバイル・デバイス７００はさらにメモリ７０８を備えうる。このメモリ７０８は、プロセッサ７０６に動作可能に接続され、送信されるデータ、受信されたデータ、利用可能なチャネルに関連する情報、分析された信号および／または干渉強度に関連付けられたデータ、割り当てられたチャネルや電力やレート等に関連する情報、および、チャネルの推定やチャネルを介した通信のために適切なその他任意の情報を格納しうる。メモリ７０８はさらに、（例えば、パフォーマンス・ベース、キャパシティ・ベース等での）チャネルの推定および／または利用に関連付けられたアルゴリズムおよび／またはプロトコルを格納しうる。
【００５５】
本明細書に記載されたデータ・ストア（例えば、メモリ７０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ（登録商標））、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ（登録商標））のような多くの形態で利用可能である。主題となるシステムおよび方法のメモリ７０８は、限定される訳ではないが、これらおよびその他任意の適切なタイプのメモリを備えることが意図される。
【００５６】
プロセッサ７０６はさらに、評価モジュール７１０および／またはアンパック・モジュール７１２に動作可能に接続されうる。評価モジュール７１０は、アンカ・キャリアから情報を識別しうる。この情報は、アンカ・キャリアおよび少なくとも１つの追加のキャリアに関連するＰＣＦＩＣＨ情報でありうる。アンパック・モジュール７１２はさらに、受信したＰＣＦＩＣＨ情報を検査し、どのＰＣＦＩＣＨ情報がどのキャリアに対応しているかを確認しうる。例えば、アンパック・モジュール７１２は、個別のチャネルにおけるパッケージから、または、（例えば、ＭＣ許可、個別に符号化されたＰＣＦＩＣＨ情報等である）物理ダウンリンク制御チャネル（ＰＤＣＣＨ）から、ＰＣＦＩＣＨ情報を識別しうる。それに加えて、アンパック・モジュール７１２は、アンカ・キャリアおよび追加のキャリアに普遍的であるＰＣＦＩＣＨ情報を識別しうる。
【００５７】
モバイル・デバイス７００はさらに、信号を変調する変調器７１４と、この信号を例えば基地局、他のモバイル・デバイス等へ送信する送信機７１６とを備える。プロセッサ６０６と別に示されているが、評価モジュール７１０、アンパック・モジュール７１２、復調器７０４、および／または、変調器７１４は、プロセッサ７０６または複数のプロセッサ（図示せず）の一部でありうることが認識されるべきである。
【００５８】
図８は、前述したように、無線通信環境において、複数の成分キャリアのためのＰＣＦＩＣＨ情報のパッケージングを容易にするシステム８００の例示である。このシステム８００は、複数の受信アンテナ８０６によって１または複数のモバイル・デバイス８０４から信号を受信する受信機８１０と、送信アンテナ８０８によって１または複数のモバイル・デバイス８０４へ信号を送信する送信機８２４とを備える、基地局８０２（例えば、アクセス・ポイント）を備える。受信機８１０は、受信アンテナ８０６から情報を受信する。さらに、受信した情報を復調する復調器８１２と動作可能に関連付けられている。復調されたシンボルは、図７に関連して上述されたプロセッサと類似のプロセッサ８１４によって分析される。プロセッサ８１４は、信号（例えばパイロット）強度および／または干渉強度を推定することに関連する情報、モバイル・デバイス８０４（または（図示しない）別の基地局）へ／から送信される／受信されたデータ、および／または、本明細書に記載されたさまざまな動作および機能を実行することに関連するその他任意の適切な情報を格納するメモリ８１６に結合されている。プロセッサ８１４はさらに、モバイル・デバイス８０４がタイミング更新を必要とするかを確認しうるタイミング調節判定部８１８に接続されている。さらに、プロセッサ８１４は、特定された必要性にしたがって、モバイル・デバイス８０４のタイミングを更新するタイミング調節コマンドを生成しうるタイミング調節評価部８２０に接続されうる。
【００５９】
プロセッサ８１４はさらに、評価モジュール８１８および／またはパッケージ・モジュール８２０に接続される。評価モジュール８１８は、ＰＣＦＩＣＨ情報（例えば、制御領域のサイズ、制御領域の１または複数のシンボル等）を識別するために、キャリアを評価しうる。さらに、評価モジュール８１８は、キャリアのセットから、アンカ・キャリアを識別しうる。パッケージ・モジュール８２０は、おのおののキャリアのＰＣＦＩＣＨ情報を、アンカ・キャリアにパッケージしうる。さらに、プロセッサ８１４と別に示されているが、評価モジュール８１８、パッケージ・モジュール８２０、復調器８１２、および／または、変調器８２２は、プロセッサ８１４または複数のプロセッサ（図示せず）のうちの一部でありうることが認識されるべきである。
【００６０】
図９は、無線通信システム９００の例を示す。無線通信システム９００は、簡潔さの目的で、１つの基地局９１０と１つのモバイル・デバイス９５０とを示している。しかしながら、システム９００は、１より多い基地局、および／または、１より多いモバイル・デバイスを含むことができ、これら追加の基地局および／またはモバイル・デバイスは、以下に説明する基地局９１０およびモバイル・デバイス９５０の例と実質的に同じでも、別のものでもありうることが認識されるべきである。それに加えて、基地局９１０および／またはモバイル・デバイス９５０は、その間の無線通信を容易にするために、本明細書に記載されたシステム（図１乃至図３、図７および図８）、技術／構成（図４）、および／または方法（図５および図６）を適用しうることが認識されるべきである。
【００６１】
基地局９１０では、多くのデータ・ストリームのためのトラフィック・データが、データ・ソース９１２から送信（ＴＸ）データ・プロセッサ９１４へ提供される。一例によれば、おのおののデータ・ストリームが、それぞれのアンテナを介して送信される。ＴＸデータ・プロセッサ９１４は、トラフィック・データ・ストリームをフォーマットし、このデータ・ストリームのために選択された特定の符号化スキームに基づいて符号化し、インタリーブして、符号化されたデータを提供する。
【００６２】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス９５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ９３０によって実行または提供される命令によって決定されうる。
【００６３】
データ・ストリームの変調シンボルは、（例えば、ＯＦＤＭのために）変調シンボルを処理するＴＸ  ＭＩＭＯプロセッサ９２０に提供される。ＴＸ  ＭＩＭＯプロセッサ９２０はその後、ＮＴ個の変調シンボル・ストリームを、ＮＴ個の送信機（ＴＭＴＲ）９２２ａ乃至９２２ｔへ提供する。さまざまな実施形態において、ＴＸ  ＭＩＭＯプロセッサ９２０は、データ・ストリームのシンボル、および、そのシンボルが送信されるアンテナへ、ビームフォーミング重みを適用する。
【００６４】
おのおのの送信機９２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機９２２ａ乃至９２２ｔからのＮＴ個の変調信号は、ＮＴ個のアンテナ９２４ａ乃至９２４ｔそれぞれから送信される。
【００６５】
モバイル・デバイス９５０では、送信された変調信号が、ＮＲ個のアンテナ９５２ａ乃至９５２ｒによって受信され、おのおののアンテナ９５２から受信した信号が、それぞれの受信機（ＲＣＶＲ）９５４ａ乃至９５４ｒへ提供される。おのおのの受信機９５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００６６】
ＲＸデータ・プロセッサ９６０は、ＮＲ個の受信機９５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ９６０は、検出されたおのおののシンボル・ストリームを復調し、デインタリーブし、復号して、そのデータ・ストリームのためのトラフィック・データを復元する。ＲＸデータ・プロセッサ９６０による処理は、基地局９１０におけるＴＸ  ＭＩＭＯプロセッサ９２０およびＴＸデータ・プロセッサ９１４によって実行されるものと相補的である。
【００６７】
プロセッサ９７０は、上述したように、どの事前符合化行列を使用するのかを定期的に決定する。さらに、プロセッサ９７０は、行列インデクス部およびランク値部を備えた逆方向リンク・メッセージを規定することができる。
【００６８】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース９３６から受け取るＴＸデータ・プロセッサ９３８によって処理され、変調器９８０によって変調され、送信機９５４ａ乃至９５４ｒによって調整され、基地局９１０へ送り戻される。
【００６９】
基地局９１０では、モバイル・デバイス９５０からの変調信号が、アンテナ９２４によって受信され、受信機９２２によって調整され、復調器９４０によって復調され、ＲＸデータ・プロセッサ９４２によって処理されることにより、モバイル・デバイス９５０によって送信された逆方向リンク・メッセージが抽出される。さらに、プロセッサ９３０は、ビームフォーミング重みを決定するためにどの事前符号化行列を使用するかを決定するために、この抽出されたメッセージを処理する。
【００７０】
プロセッサ９３０およびプロセッサ９７０は、基地局９１０およびモバイル・デバイス９５０それぞれにおける動作を指示（例えば、制御、調整、管理等）する。プロセッサ９３０およびプロセッサ９７０はそれぞれ、プログラム・コードおよびデータを格納するメモリ９３２およびメモリ９７２に関連付けられうる。プロセッサ９３０およびプロセッサ９７０はまた、アップリンクおよびダウンリンクそれぞれのための周波数およびインパルス応答推定値を導出する計算をも実行する。
【００７１】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【００７２】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００７３】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００７４】
図１０を参照して、１または複数の成分キャリアのための制御情報を伝送するシステム１０００が例示される。例えば、システム１０００は、基地局、モバイル・デバイスなどの中に少なくとも部分的に存在しうる。システム１０００は、プロセッサ、ソフトウェア、またはそれらの組み合わせ（例えば、ファームウェア）によって実現される機能を表す機能ブロックでありうる機能ブロックを含むものとして示されることが認識されるべきである。システム１０００は、連携して動作しうる電子構成要素の論理グループ１００２を含む。論理グループ１００２は、１または複数の成分キャリアを評価して、その間の関連する物理制御フォーマット・インジケータ・チャネル（ＰＣＦＩＣＨ）情報を識別するための電子構成要素１００４を含みうる。それに加えて、論理グループ１００２は、１または複数の成分キャリアから、アンカ成分キャリアを識別するための電子構成要素１００６備えうる。さらに、論理グループ１００２は、アンカ成分キャリアに関連するＰＣＦＩＣＨ情報と、１または複数の成分キャリアのおのおのに関連するＰＣＦＩＣＨ情報とをアンカ成分キャリアによって通信するための電子構成要素１００８を含みうる。さらに、システム１０００は、電子構成要素１００４、１００６、１００８に関連付けられた機能を実行するための命令群を保持するメモリ１０１０を含みうる。メモリ１０１０の外側にあると示されているが、電子構成要素１００４、１００６、１００８のうちの１または複数は、メモリ１０１０内に存在しうることが理解されるべきである。
【００７５】
図１１に移って、無線通信環境において、１または複数のキャリアのための制御情報を利用するシステム１１００が例示される。システム１１００は、例えば、基地局、モバイル・デバイス等に存在しうる。図示するように、システム１１００は、プロセッサ、ソフトウェア、または（例えば、ファームウェアのような）これらの組み合わせによって実現される機能を表しうる。論理グループ１１０２は、アンカ成分キャリアによってＰＣＦＩＣＨ情報を受信するための電子構成要素１１０４を含みうる。さらに、論理グループ１１０２は、ＰＣＦＩＣＨ情報を復号して、アンカ成分キャリアのための制御情報を識別するための電子構成要素１１０６を含みうる。さらに、論理グループ１１０２は、アンカ成分キャリアに加えて、少なくとも１つの成分キャリアに対応するＰＣＦＩＣＨ情報を識別するための電子構成要素１１０８を備えうる。ここで、ＰＣＦＩＣＨ情報は、アンカ・キャリアによって受信される。さらに、システム１１００は、電子構成要素１１０４、１１０６、１１０８に関連付けられた機能を実行するための命令群を保持するメモリ１１１０を含みうる。メモリ１１１０の外部にあるとして示されているが、電子構成要素１１０４、１１０６、１１０８は、メモリ１１１０の内部に存在しうることが理解されるべきである。
【００７６】
上述したものは、１または複数の実施形態の一例しか含んでいない。もちろん、上述した実施形態を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのようなすべての変更、変更、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
【図１】
2018074599.tif 000003
【図２】
2018074599.tif 000004
【図３】
2018074599.tif 000005
【図４】
2018074599.tif 000006
【図５】
2018074599.tif 000007
【図６】
2018074599.tif 000008
【図７】
2018074599.tif 000009
【図８】
2018074599.tif 000010
【図９】
2018074599.tif 000011
【図１０】
2018074599.tif 000012
【図１１】
2018074599.tif 000013
【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
１または複数のダウンリンク成分キャリアのための制御情報を伝送することを容易にする、無線通信システムで使用される方法であって、
複数の成分キャリアからアンカ成分キャリアを識別することと、
前記アンカ成分キャリアと前記複数の成分キャリアのうちの各非アンカ成分キャリアとの間で共通の物理制御フォーマット・インジケータ・チャネル（ＰＣＦＩＣＨ）情報を生成することと、
前記共通のＰＣＦＩＣＨ情報を、前記アンカ成分キャリアによって、通信することと
を備える方法。
【請求項２】
無線通信装置であって、
複数の成分キャリアからアンカ成分キャリアを識別し、
前記アンカ成分キャリアと前記複数の成分キャリアのうちの各非アンカ成分キャリアとの間で共通の物理制御フォーマット・インジケータ・チャネル（ＰＣＦＩＣＨ）情報を生成し、
前記共通のＰＣＦＩＣＨ情報を、前記アンカ成分キャリアによって、通信する、ように構成された少なくとも１つのプロセッサと、
前記少なくとも１つのプロセッサに接続されたメモリとを備える無線通信装置。
【請求項３】
１または複数の成分キャリアのための制御情報を伝送する無線通信装置であって、
複数の成分キャリアからアンカ成分キャリアを識別する手段と、
前記アンカ成分キャリアと前記複数の成分キャリアのうちの各非アンカ成分キャリアとの間で共通の物理制御フォーマット・インジケータ・チャネル（ＰＣＦＩＣＨ）情報を生成する手段と、
前記共通のＰＣＦＩＣＨ情報を、前記アンカ成分キャリアによって、通信する手段とを備える無線通信装置。
【請求項４】
コンピュータ・プログラムであって、
少なくとも１つのコンピュータに対して、複数の成分キャリアからアンカ成分キャリアを識別させるためのコードと、
前記少なくとも１つのコンピュータに対して、前記アンカ成分キャリアと前記複数の成分キャリアのうちの各非アンカ成分キャリアとの間で共通の物理制御フォーマット・インジケータ・チャネル（ＰＣＦＩＣＨ）情報を生成させるためのコードと、
前記少なくとも１つのコンピュータに対して、前記共通のＰＣＦＩＣＨ情報を、前記アンカ成分キャリアによって、通信させるためのコードとを備えるコンピュータ・プログラム。
【請求項５】
１または複数の成分キャリアのための制御情報を利用することを容易にする、無線通信システムにおいて使用される方法であって、
複数の成分キャリアのうちのアンカ成分キャリアと前記複数の成分キャリアのうちの各非アンカ成分キャリアとの間で共通の物理制御フォーマット・インジケータ・チャネル（ＰＣＦＩＣＨ）情報を、前記アンカ成分キャリアによって、受信することと、
前記共通のＰＣＦＩＣＨ情報を復号して、前記複数の成分キャリアのための制御情報を識別することとを備える方法。
【請求項６】
無線通信装置であって、
複数の成分キャリアのうちのアンカ成分キャリアと前記複数の成分キャリアのうちの各非アンカ成分キャリアとの間で共通の物理制御フォーマット・インジケータ・チャネル（ＰＣＦＩＣＨ）情報を、前記アンカ成分キャリアによって、受信し、
前記共通のＰＣＦＩＣＨ情報を復号して、前記複数の成分キャリアのための制御情報を識別する、ように構成された少なくとも１つのプロセッサと、
前記少なくとも１つのプロセッサに接続されたメモリとを備える無線通信装置。
【請求項７】
１または複数の成分キャリアのための制御情報を利用する無線通信装置であって、
複数の成分キャリアのうちのアンカ成分キャリアと前記複数の成分キャリアのうちの各非アンカ成分キャリアとの間で共通の物理制御フォーマット・インジケータ・チャネル（ＰＣＦＩＣＨ）情報を、前記アンカ成分キャリアによって、受信する手段と、
前記共通のＰＣＦＩＣＨ情報を復号して、前記複数の成分キャリアのための制御情報を識別する手段とを備える無線通信装置。
【請求項８】
コンピュータ・プログラムであって、
少なくとも１つのコンピュータに対して、複数の成分キャリアのうちのアンカ成分キャリアと前記複数の成分キャリアのうちの各非アンカ成分キャリアとの間で共通の物理制御フォーマット・インジケータ・チャネル（ＰＣＦＩＣＨ）情報を、前記アンカ成分キャリアによって、受信させるためのコードと、
前記少なくとも１つのコンピュータに対して、前記共通のＰＣＦＩＣＨ情報を復号して、前記複数の成分キャリアの制御情報を識別させるためのコードとを備える、コンピュータ・プログラム。
【手続補正２】
【補正対象書類名】明細書
【補正対象項目名】００７６
【補正方法】変更
【補正の内容】
【００７６】
上述したものは、１または複数の実施形態の一例しか含んでいない。もちろん、上述し
た実施形態を説明する目的で、構成要素または方法の考えられるすべての組み合わせを記
述することは可能ではないが、当業者であれば、さまざまな実施形態のさらに多くの組み
合わせおよび置き換えが可能であることを認識することができる。したがって、記載され
た実施形態は、特許請求の範囲の精神およびスコープ内にあるそのようなすべての変更、
変更、および変形を含むことが意図される。さらにまた、用語「含む」が、詳細説明ある
いは特許請求の範囲のうちの何れかで使用されている限り、その用語は、用語「備える」
が、請求項における遷移語として適用される場合に解釈される用語「備える」と同様に、
包括的であることが意図される。
以下に、本願出願の当初の特許請求の範囲に記載された発明を付記する。
［Ｃ１］
１または複数のダウンリンク成分キャリアのための制御情報を伝送することを容易にす
る、無線通信システムで使用される方法であって、
１または複数の成分キャリアを評価して、その間の関連する物理制御フォーマット・イ
ンジケータ・チャネル（ＰＣＦＩＣＨ）情報を識別することと、
前記１または複数の成分キャリアによって、前記１または複数の成分キャリアのおのお
のに関連するＰＣＦＩＣＨ情報を通信することとを備える方法。
［Ｃ２］
前記１または複数の成分キャリアからアンカ成分キャリアを識別することと、
前記アンカ成分キャリアに関連するＰＣＦＩＣＨ情報と、前記１または複数の成分キャ
リアのおのおのに関連するＰＣＦＩＣＨ情報とを前記アンカ成分キャリアによって通信す
ることとをさらに備える、Ｃ１に記載の方法。
［Ｃ３］
前記１または複数の成分キャリアにおいて、固定されたＰＣＦＩＣＨ情報値を利用する
ことをさらに備える、Ｃ１に記載の方法。
［Ｃ４］
前記ＰＣＦＩＣＨ情報値は、前記アンカ成分キャリアとは異なる１または複数の成分キ
ャリアについて固定されており、前記アンカ成分キャリアは、前記アンカ成分キャリアで
送信されたＰＣＦＩＣＨを復号することによって、アンカＰＣＦＩＣＨによって伝送され
るＰＣＦＩＣＨ情報を有する、Ｃ３に記載の方法。
［Ｃ５］
前記固定されたＰＣＦＩＣＨ情報値を、ブロードキャストすること、または、専用シグ
ナリングによってＵＥへシグナルすることをさらに備える、Ｃ３に記載の方法。
［Ｃ６］
前記１または複数の成分キャリアのための物理制御フォーマット・インジケータ・チャ
ネル（ＰＣＦＩＣＨ）情報を含むパッケージを、前記アンカ成分キャリアの物理ダウンリ
ンク制御チャネル（ＰＤＣＣＨ）へ組み込むことをさらに備え、
前記パッケージは、前記１または複数の成分キャリアのためのＰＣＦＩＣＨ情報、また
は、前記１または複数の成分キャリアのための割当データを含むマルチ・キャリア許可で
ある、Ｃ１に記載の方法。
［Ｃ７］
前記パッケージは、前記１または複数の成分キャリアのおのおののために、個別に符号
化された物理ダウンリンク制御チャネル（ＰＤＣＣＨ）を含み、おのおののＰＤＣＣＨは
、それぞれの成分キャリアのための物理制御フォーマット・インジケータ・チャネル（Ｐ
ＣＦＩＣＨ）情報と、それぞれの成分キャリアのための割当データとを含む、Ｃ４に記載
の方法。
［Ｃ８］
前記１または複数の成分キャリアのためのＰＣＦＩＣＨ情報を含むパッケージを、個別
のチャネルへ組み込むことをさらに備える、Ｃ１に記載の方法。
［Ｃ９］
前記パッケージは、ともに符号化されたＰＣＦＩＣＨ情報を含む、Ｃ８に記載の方法。
［Ｃ１０］
前記パッケージは、個別に符号化されたＰＣＦＩＣＨ情報を含む、Ｃ８に記載の方法。
［Ｃ１１］
前記アンカ成分キャリアと前記１または複数の成分キャリアのための普遍的なＰＣＦＩ
ＣＨ情報を含めるように、前記ＰＣＦＩＣＨ情報を生成することをさらに備える、Ｃ１に
記載の方法。
［Ｃ１２］
前記普遍的なＰＣＦＩＣＨ情報は、前記アンカ成分キャリアと前記１または複数の成分
キャリアとについて、ダウンリンク（ＤＬ）制御領域に関して共通のサイズを含む、Ｃ１
１に記載の方法。
［Ｃ１３］
ロング・ターム・イボリューション（ＬＴＥ）ユーザ機器（ＵＥ）をサポートする下位
互換性成分キャリア動作モードを生成することと、ここで、前記下位互換性成分キャリア
動作モードは、制御のための１または複数のシンボルを識別するために、前記ＰＣＦＩＣ
Ｈ情報を利用し、
前記ＰＣＦＩＣＨ情報を利用しない非下位互換性成分キャリア動作モードを生成するこ
とと、
ユーザ機器（ＵＥ）に基づいて、前記下位互換性成分キャリア動作モードと、前記非下
位互換性成分キャリア動作モードとのうちの少なくとも１つを適用することとをさらに備
える、Ｃ１に記載の方法。
［Ｃ１４］
無線通信装置であって、
１または複数のダウンリンク成分キャリアを評価して、その間の関連する物理制御フォ
ーマット・インジケータ・チャネル（ＰＣＦＩＣＨ）情報を識別し、
前記１または複数の成分キャリアによって、前記１または複数の成分キャリアのおのお
のに関連するＰＣＦＩＣＨ情報を通信する、ように構成された少なくとも１つのプロセッ
サと、
前記少なくとも１つのプロセッサに接続されたメモリとを備える無線通信装置。
［Ｃ１５］
前記１または複数の成分キャリアからアンカ成分キャリアを識別し、
前記アンカ成分キャリアと、前記１または複数の成分キャリアのおのおのと関連するＰ
ＣＦＩＣＨ情報を、前記アンカ成分キャリアによって通信するように構成された少なくと
も１つのプロセッサをさらに備える、Ｃ１２に記載の無線通信装置。
［Ｃ１６］
前記１または複数の成分キャリアのための物理制御フォーマット・インジケータ・チャ
ネル（ＰＣＦＩＣＨ）情報を含むパッケージを、前記アンカ成分キャリアの物理ダウンリ
ンク制御チャネル（ＰＤＣＣＨ）へ組み込むように構成された少なくとも１つのプロセッ
サをさらに備える、Ｃ１４に記載の無線通信装置。
［Ｃ１７］
前記パッケージは、前記１または複数の成分キャリアのためのＰＣＦＩＣＨ情報、また
は、前記１または複数の成分キャリアのための割当データを含むマルチ・キャリア許可で
ある、Ｃ１６に記載の無線通信装置。
［Ｃ１８］
前記パッケージは、前記１または複数の成分キャリアのおのおののために、個別に符号
化された物理ダウンリンク制御チャネル（ＰＤＣＣＨ）を含み、おのおののＰＤＣＣＨは
、それぞれの成分キャリアのための物理制御フォーマット・インジケータ・チャネル（Ｐ
ＣＦＩＣＨ）情報と、それぞれの成分キャリアのための割当データとを含む、Ｃ１７に記
載の無線通信装置。
［Ｃ１９］
１または複数の成分キャリアのための制御情報を伝送する無線通信装置であって、
１または複数の成分キャリアを評価して、その間の関連する物理制御フォーマット・イ
ンジケータ・チャネル（ＰＣＦＩＣＨ）情報を識別する手段と、
前記１または複数の成分キャリアによって、前記１または複数の成分キャリアのおのお
のに関連するＰＣＦＩＣＨ情報を通信する手段とを備える無線通信装置。
［Ｃ２０］
前記１または複数の成分キャリアからアンカ成分キャリアを識別する手段と、
前記アンカ成分キャリアと、前記１または複数の成分キャリアのおのおのと関連するＰ
ＣＦＩＣＨ情報を、前記アンカ成分キャリアによって通信する手段とをさらに備える、Ｃ
１９に記載の無線通信装置。
［Ｃ２１］
前記１または複数の成分キャリアのための物理制御フォーマット・インジケータ・チャ
ネル（ＰＣＦＩＣＨ）情報を含むパッケージを、前記アンカ成分キャリアの物理ダウンリ
ンク制御チャネル（ＰＤＣＣＨ）へ組み込む手段をさらに備える、Ｃ１９に記載の無線通
信装置。
［Ｃ２２］
前記パッケージは、前記１または複数の成分キャリアのためのＰＣＦＩＣＨ情報、また
は、前記１または複数の成分キャリアのための割当データを含むマルチ・キャリア許可で
ある、Ｃ２１に記載の無線通信装置。
［Ｃ２３］
前記パッケージは、前記１または複数の成分キャリアのおのおののために、個別に符号
化された物理ダウンリンク制御チャネル（ＰＤＣＣＨ）を含み、おのおののＰＤＣＣＨは
、それぞれの成分キャリアのための物理制御フォーマット・インジケータ・チャネル（Ｐ
ＣＦＩＣＨ）情報と、それぞれの成分キャリアのための割当データとを含む、Ｃ２１に記
載の無線通信装置。
［Ｃ２４］
前記１または複数の成分キャリアのためのＰＣＦＩＣＨ情報を含むパッケージを、個別
のチャネルへ組み込む手段をさらに備える、Ｃ１９に記載の無線通信装置。
［Ｃ２５］
前記パッケージは、ともに符号化されたＰＣＦＩＣＨ情報を含む、Ｃ２４に記載の無線
通信装置。
［Ｃ２６］
前記パッケージは、個別に符号化されたＰＣＦＩＣＨ情報を含む、Ｃ２４に記載の無線
通信装置。
［Ｃ２７］
前記アンカ成分キャリアと前記１または複数の成分キャリアのための普遍的なＰＣＦＩ
ＣＨ情報を含めるように、前記ＰＣＦＩＣＨ情報を生成する手段をさらに備える、Ｃ１９
に記載の無線通信装置。
［Ｃ２８］
前記普遍的なＰＣＦＩＣＨ情報は、前記アンカ成分キャリアと前記１または複数の成分
キャリアとについて、ダウンリンク（ＤＬ）制御領域に関して共通のサイズを含む、Ｃ２
７に記載の無線通信装置。
［Ｃ２９］
ロング・ターム・イボリューション（ＬＴＥ）ユーザ機器（ＵＥ）をサポートする下位
互換性成分キャリア動作モードを生成する手段と、ここで、前記下位互換性成分キャリア
動作モードは、制御のための１または複数のシンボルを識別するために、前記ＰＣＦＩＣ
Ｈ情報を利用し、
前記ＰＣＦＩＣＨ情報を利用しない非下位互換性成分キャリア動作モードを生成する手
段と、
ユーザ機器（ＵＥ）に基づいて、前記下位互換性成分キャリア動作モードと、前記非下
位互換性成分キャリア動作モードとのうちの少なくとも１つを適用する手段とをさらに備
える、Ｃ１９に記載の無線通信装置。
［Ｃ３０］
コンピュータ読取可能媒体を備えるコンピュータ・プログラム製品であって、
前記コンピュータ読取可能媒体は、
少なくとも１つのコンピュータに対して、１または複数のダウンリンク成分キャリアを
評価して、その間の関連する物理制御フォーマット・インジケータ・チャネル（ＰＣＦＩ
ＣＨ）情報を識別させるためのコードと、
少なくとも１つのコンピュータに対して、１または複数の成分キャリアによって、前記
１または複数の成分キャリアのおのおのに関連するＰＣＦＩＣＨ情報を通信させるための
コードとを備えるコンピュータ・プログラム製品。
［Ｃ３１］
少なくとも１つのコンピュータに対して、前記１または複数の成分キャリアからアンカ
成分キャリアを識別させるためのコードと、
少なくとも１つのコンピュータに対して、前記アンカ成分キャリアと、前記１または複
数の成分キャリアのおのおのと関連するＰＣＦＩＣＨ情報を、前記アンカ成分キャリアに
よって通信させるためのコードと、を備えるコンピュータ読取可能媒体をさらに備える、
Ｃ３０に記載のコンピュータ・プログラム製品。
［Ｃ３２］
少なくとも１つのコンピュータに対して、前記１または複数の成分キャリアのための物
理制御フォーマット・インジケータ・チャネル（ＰＣＦＩＣＨ）情報を含むパッケージを
、前記アンカ成分キャリアの物理ダウンリンク制御チャネル（ＰＤＣＣＨ）へ組み込ませ
るためのコードを備えるコンピュータ読取可能媒体をさらに備える、Ｃ３０に記載のコン
ピュータ・プログラム製品。
［Ｃ３３］
前記パッケージは、前記１または複数の成分キャリアのためのＰＣＦＩＣＨ情報、また
は、前記１または複数の成分キャリアのための割当データを含むマルチ・キャリア許可で
ある、Ｃ３２に記載のコンピュータ・プログラム製品。
［Ｃ３４］
前記パッケージは、前記１または複数の成分キャリアのおのおののために、個別に符号
化された物理ダウンリンク制御チャネル（ＰＤＣＣＨ）を含み、おのおののＰＤＣＣＨは
、それぞれの成分キャリアのための物理制御フォーマット・インジケータ・チャネル（Ｐ
ＣＦＩＣＨ）情報と、それぞれの成分キャリアのための割当データとを含む、Ｃ３２に記
載のコンピュータ・プログラム製品。
［Ｃ３５］
１または複数の成分キャリアのための制御情報を利用することを容易にする、無線通信
システムにおいて使用される方法であって、
１または複数のダウンリンク成分キャリア成分キャリアでＰＣＦＩＣＨ情報を受信する
ことと、
前記ＰＣＦＩＣＨ情報を復号して、前記１または複数の成分キャリアのための制御情報
を識別することとを備える方法。
［Ｃ３６］
１または複数の成分キャリアは、アンカ成分キャリアであり、前記アンカ成分キャリア
に加えて、少なくとも１つの成分キャリアに対応するＰＣＦＩＣＨ情報を識別することを
さらに備え、前記ＰＣＦＩＣＨ情報は、前記アンカ成分キャリアによって受信される、Ｃ
３５に記載の方法。
［Ｃ３７］
前記アンカ成分キャリアに関連するＰＣＦＩＣＨ情報を利用して、このアンカ成分キャ
リアの制御のための１または複数のシンボルを識別することと、
前記成分キャリアに対応するＰＣＦＩＣＨ情報を利用して、この成分キャリアの制御の
ための１または複数のシンボルを識別することとをさらに備える、Ｃ３６に記載の方法。
［Ｃ３８］
物理ダウンリンク制御チャネル（ＰＤＣＣＨ）を復号して、前記１または複数の成分キ
ャリアのためのＰＣＦＩＣＨ情報を含むパッケージを識別することをさらに備える、Ｃ３
５に記載の方法。
［Ｃ３９］
前記パッケージは、前記１または複数の成分キャリアのためのＰＣＦＩＣＨ情報、また
は、前記１または複数の成分キャリアのための割当データを含むマルチ・キャリア許可で
ある、Ｃ３８に記載の方法。
［Ｃ４０］
前記パッケージは、前記１または複数の成分キャリアのおのおののために、個別に符号
化された物理ダウンリンク制御チャネル（ＰＤＣＣＨ）を含み、おのおののＰＤＣＣＨは
、それぞれの成分キャリアのための物理制御フォーマット・インジケータ・チャネル（Ｐ
ＣＦＩＣＨ）情報と、それぞれの成分キャリアのための割当データとを含む、Ｃ３８に記
載の方法。
［Ｃ４１］
前記アンカ構成要素キャリアによって個別のチャネルから受信したパッケージを復号す
ることをさらに備え、前記パッケージは、前記１または複数の成分キャリアのためのＰＣ
ＦＩＣＨ情報を含む、Ｃ３５に記載の方法。
［Ｃ４２］
前記パッケージは、ともに符号化されたＰＣＦＩＣＨ情報を含む、Ｃ４１に記載の方法
。
［Ｃ４３］
前記パッケージは、個別に符号化されたＰＣＦＩＣＨ情報を含む、Ｃ４１に記載の方法
。
［Ｃ４４］
前記ＰＣＦＩＣＨ情報を、前記アンカ成分キャリアおよび前記少なくとも１つの成分キ
ャリアに対応する普遍的なＰＣＦＩＣＨ情報として識別することをさらに備える、Ｃ３５
に記載の方法。
［Ｃ４５］
前記普遍的なＰＣＦＩＣＨ情報は、前記アンカ成分キャリアと前記少なくとも１つの成
分キャリアとについて、ダウンリンク（ＤＬ）制御領域に関して共通のサイズを含む、Ｃ
４４に記載の方法。
［Ｃ４６］
前記ＰＣＦＩＣＨ情報は、アップリンクおよびダウンリンクのうちの少なくとも１つの
ために利用される、Ｃ４４に記載の方法。
［Ｃ４７］
ユーザ機器（ＵＥ）を、下位互換性であるか、非下位互換性であるかのうちの少なくと
も一方であるとして識別することと、
ロング・ターム・イボリューション（ＬＴＥ）ユーザ機器（ＵＥ）をサポートする下位
互換性成分キャリア動作モードを、前記ユーザ機器（ＵＥ）のために適用することと、こ
こで、前記下位互換性成分キャリア動作モードは、前記ユーザ機器が下位互換性である場
合、制御のための１または複数のシンボルを識別するために、前記ＰＣＦＩＣＨ情報を利
用し、
前記ユーザ機器（ＵＥ）が、非下位互換性である場合、前記ユーザ機器（ＵＥ）のため
に、非下位互換性成分キャリア動作モードを適用し、前記ＰＣＦＩＣＨ情報を利用しない
こととをさらに備える、Ｃ３５に記載の方法。
［Ｃ４８］
無線通信装置であって、
１または複数のダウンリンク成分キャリア成分キャリアでＰＣＦＩＣＨ情報を受信し、
前記ＰＣＦＩＣＨ情報を復号して、１または複数の成分キャリアのための制御情報を識
別する、ように構成された少なくとも１つのプロセッサと、
前記少なくとも１つのプロセッサに接続されたメモリとを備える無線通信装置。
［Ｃ４９］
１または複数の成分キャリアは、アンカ成分キャリアであり、
前記アンカ成分キャリアに加えて、少なくとも１つの成分キャリアに対応するＰＣＦＩ
ＣＨ情報を識別するように構成された少なくとも１つのプロセッサをさらに備え、
前記ＰＣＦＩＣＨ情報は、前記アンカ成分キャリアによって受信される、Ｃ４８に記載
の無線通信装置。
［Ｃ５０］
１または複数の成分キャリアのための制御情報を利用する無線通信装置であって、
１または複数のダウンリンク成分キャリア成分キャリアでＰＣＦＩＣＨ情報を受信する
手段と、
前記ＰＣＦＩＣＨ情報を復号して、１または複数の成分キャリアのための制御情報を識
別する手段とを備える無線通信装置。
［Ｃ５１］
１または複数の成分キャリアは、アンカ成分キャリアであり、前記アンカ成分キャリア
に加えて、少なくとも１つの成分キャリアに対応するＰＣＦＩＣＨ情報を識別する手段を
さらに備え、
前記ＰＣＦＩＣＨ情報は、前記アンカ成分キャリアによって受信される、Ｃ５０に記載
の無線通信装置。
［Ｃ５２］
前記アンカ成分キャリアに関連するＰＣＦＩＣＨ情報を利用して、このアンカ成分キャ
リアの制御のための１または複数のシンボルを識別する手段と、
前記成分キャリアに対応するＰＣＦＩＣＨ情報を利用して、この成分キャリアの制御の
ための１または複数のシンボルを識別する手段とをさらに備える、Ｃ５１に記載の無線通
信装置。
［Ｃ５３］
物理ダウンリンク制御チャネル（ＰＤＣＣＨ）を復号して、前記１または複数の成分キ
ャリアのためのＰＣＦＩＣＨ情報を含むパッケージを識別する手段をさらに備える、Ｃ５
０に記載の無線通信装置。
［Ｃ５４］
前記パッケージは、前記１または複数の成分キャリアのためのＰＣＦＩＣＨ情報、また
は、前記１または複数の成分キャリアのための割当データを含むマルチ・キャリア許可で
ある、Ｃ５３に記載の無線通信装置。
［Ｃ５５］
前記パッケージは、前記１または複数の成分キャリアのおのおののために、個別に符号
化された物理ダウンリンク制御チャネル（ＰＤＣＣＨ）を含み、おのおののＰＤＣＣＨは
、それぞれの成分キャリアのための物理制御フォーマット・インジケータ・チャネル（Ｐ
ＣＦＩＣＨ）情報と、それぞれの成分キャリアのための割当データとを含む、Ｃ５３に記
載の無線通信装置。
［Ｃ５６］
前記アンカ構成要素キャリアによって個別のチャネルから受信したパッケージを復号す
ることをさらに備え、
前記パッケージは、前記１または複数の成分キャリアのためのＰＣＦＩＣＨ情報を含む
、Ｃ５０に記載の無線通信装置。
［Ｃ５７］
前記ＰＣＦＩＣＨ情報を、前記アンカ成分キャリアおよび前記少なくとも１つの成分キ
ャリアに対応する普遍的なＰＣＦＩＣＨ情報として識別する手段をさらに備える、Ｃ５３
に記載の無線通信装置。
［Ｃ５８］
前記普遍的なＰＣＦＩＣＨ情報は、前記アンカ成分キャリアと前記少なくとも１つの成
分キャリアとについて、ダウンリンク（ＤＬ）制御領域に関して共通のサイズを含む、Ｃ
５７に記載の無線通信装置。
［Ｃ５９］
ユーザ機器（ＵＥ）を、下位互換性であるか、非下位互換性であるかのうちの少なくと
も１つとして識別する手段と、
ロング・ターム・イボリューション（ＬＴＥ）ユーザ機器（ＵＥ）をサポートする下位
互換性成分キャリア動作モードを、前記ユーザ機器（ＵＥ）のために生成する手段と、こ
こで、前記下位互換性成分キャリア動作モードは、前記ユーザ機器が下位互換性である場
合、制御のための１または複数のシンボルを識別するために、前記ＰＣＦＩＣＨ情報を利
用し、
前記ユーザ機器（ＵＥ）が、非下位互換性である場合、前記ユーザ機器（ＵＥ）のため
に、非下位互換性成分キャリア動作モードを適用し、前記ＰＣＦＩＣＨ情報を利用しない
手段とをさらに備える、Ｃ５０に記載の無線通信装置。
［Ｃ６０］
コンピュータ読取可能媒体を備えるコンピュータ・プログラム製品であって、
前記コンピュータ読取可能媒体は、
少なくとも１つのコンピュータに対して、１または複数のダウンリンク成分キャリア成
分キャリアでＰＣＦＩＣＨ情報を受信させるためのコードと、
少なくとも１つのコンピュータに対して、前記ＰＣＦＩＣＨ情報を復号して、１または
複数の成分キャリアの制御情報を識別させるためのコードとを備える、コンピュータ・プ
ログラム製品。
［Ｃ６１］
１または複数の成分キャリアは、アンカ成分キャリアであり、
少なくとも１つのコンピュータに対して、前記アンカ成分キャリアに加えて、少なくと
も１つの成分キャリアに対応するＰＣＦＩＣＨ情報を識別させるためのコードを備える前
記コンピュータ読取可能媒体をさらに備え、
前記ＰＣＦＩＣＨ情報は、前記アンカ成分キャリアによって受信される、Ｃ６０に記載
のコンピュータ・プログラム製品。
【外国語明細書】
2018074599000001.pdf